(57)【要約】      （修正有）【課題】計量台で計量された被計量物の重量等のデータを、ＵＳＢメモリにデータ記録でき、記録後はそのＵＳＢメモリを移動して遠隔のコンピュータでデータ処理できる利便性、正確性に優れたＵＳＢメモリにデータ記録可能なデジタル指示計を提供する。【解決手段】計量台にデジタル指示計２が接続され、計量台に載置された被計量物の重量１６がデジタル表示されるデジタル指示計２において、メインボード３に接続されたＵＳＢ接続コネクタ５が、当該デジタル指示計２の外周２０に備えられ、前記ＵＳＢ接続コネクタ５にＵＳＢメモリ１の端子部１ａが接続自在であり、前記計量台で計量された被計量物の重量１６等のデータが、ＵＳＢ接続コネクタ５に接続されたＵＳＢメモリ１に記録自在である。【選択図】図１
0003144574.tif 000002
【実用新案登録請求の範囲】
【請求項１】
計量台にデジタル指示計が接続され、前記計量台に載置された被計量物の重量がデジタル表示されるデジタル指示計において、
前記デジタル指示計のメインボードに接続されたＵＳＢ接続コネクタが、当該デジタル指示計の外周に備えられ、前記ＵＳＢ接続コネクタにＵＳＢメモリの端子部が接続自在であり、前記計量台で計量された被計量物の重量等のデータが、前記ＵＳＢ接続コネクタに接続されたＵＳＢメモリに記録自在であることを特徴とする、ＵＳＢメモリにデータ記録可能なデジタル指示計。
【請求項２】
デジタル指示計の外周の一部が、凹状のＵＳＢメモリ挿込み部に形成され、前記ＵＳＢメモリ挿込み部の基端にＵＳＢ接続コネクタが備えられ、前記ＵＳＢメモリ挿込み部内のＵＳＢ接続コネクタに、ＵＳＢメモリの端子部が接続自在に構成されていることを特徴とする、請求項１に記載したＵＳＢメモリにデータ記録可能なデジタル指示計。
【請求項３】
ＵＳＢ接続コネクタの外周は、パッキン付きのＵＳＢ接続外周部に形成され、ＵＳＢメモリを保護するケース体が、前記ＵＳＢ接続外周部に嵌着自在に構成されていることを特徴とする、請求項１又は２に記載したＵＳＢメモリにデータ記録可能なデジタル指示計。
【請求項４】
デジタル指示計のＵＳＢ接続コネクタを介して、被計量物の重量等のデータが記録されたＵＳＢメモリは、デジタル指示計のＵＳＢ接続コネクタから抜き取られ、コンピュータのＵＳＢ接続コネクタに挿し込み、前記ＵＳＢメモリに記録された被計量物の重量等のデータが当該コンピュータ上に起動した所望のシステムにおいて処理自在に構成されていることを特徴とする、請求項１〜３のいずれか１項に記載したＵＳＢメモリにデータ記録可能なデジタル指示計。
【考案の詳細な説明】
【技術分野】
【０００１】
本考案は、ＵＳＢメモリにデータ記録可能なデジタル指示計に関し、さらに言えば、計量台で計量された被計量物の重量等のデータを、ＵＳＢメモリにデータ記録し、当該ＵＳＢメモリを移動してデータ処理できるデジタル指示計の技術分野に属する。
【背景技術】
【０００２】
従来、計量台で計量した被計量物の重量データの計量結果は、計量台に接続されたプリンタを使用して、紙で印字している。
【０００３】
例えば、特開２００７−２９８４８４公報には、必要重量分の被計量物を手動で計り取りするための計量装置において、上記被計量物が供給される計量台を有し該計量台に供給されている該被計量物の重量に応じた計量信号を出力する計量手段と、上記計量信号に基づいて該計量信号の安定度を求める安定度演算手段と、上記安定度が最良のときの上記計量信号に基づく計量値を記憶する記憶手段と、上記計量台から上記被計量物が排除されたときに上記記憶手段に記憶されている上記計量値を計り取りによって得られた該被計量物の最終重量値として決定する決定手段と、を具備することを特徴とする計量装置が記載されている（請求項１）。
【特許文献１】特開２００７−２９８４８４公報
【考案の開示】
【考案が解決しようとする課題】
【０００４】
前記特許文献１にあっても、重量データは紙に印字するのが通例である。また、重量データを保存したり、当該重量データを処理する作業は、いちいち手作業によっている。そして、紙に印字された重量データを、コンピュータにデータとして保存あるいは集計するには、当該紙に印字されたデータを見ながら、キーボードを用いた手入力により、データ入力する必要があり、それらの作業が煩わしい。しかも、手入力の際にキー操作を誤り、間違ったデータをコンピュータに入力してしまう虞れもある。
【０００５】
また、例えばシリアル通信によるケーブル等で計量台とコンピュータを接続し、計量台で計量した被計量物の重量データを当該コンピュータにデータ転送する方法もある。しかしその場合、コンピュータにプログラムが必要であって手間がかかるし、計量台の近くにコンピュータを設置する必要があり、計量台から離れた場所でデータ処理することができない不便さが問題とされている。
【０００６】
ここで、コンピュータの外部記憶装置として、例えば「Ｍｅｍｏｒｙ  Ｓｔｉｃｋ」（メモリースティック）（登録商標）等のＵＳＢ（ユニバーサル・シリアル・バス，Universal Serial Bus）フラッシュメモリ装置（以下、ＵＳＢメモリという。）が近年普及しているが、このＵＳＢメモリを使用して行う前記被計量物に関する重量データ等のデータ処理に着目した。
【０００７】
したがって、本考案が解決しようとする課題は、計量台で計量された被計量物の重量等のデータを、ＵＳＢメモリにデータ記録でき、記録後はそのＵＳＢメモリを移動して遠隔のコンピュータでデータ処理できる利便性、正確性に優れたＵＳＢメモリにデータ記録可能なデジタル指示計を提供することにある。
【課題を解決するための手段】
【０００８】
上記課題を解決するための手段として、請求項１記載の考案のＵＳＢメモリにデータ記録可能なデジタル指示計は、計量台１８にデジタル指示計２が接続され、前記計量台１８に載置された被計量物の重量１６がデジタル表示されるデジタル指示計２において、
前記デジタル指示計２のメインボード３に接続されたＵＳＢ接続コネクタ５が、当該デジタル指示計２の外周２０に備えられ、前記ＵＳＢ接続コネクタ５にＵＳＢメモリ１の端子部１ａが接続自在であり、前記計量台１８で計量された被計量物の重量１６等のデータ１７が、前記ＵＳＢ接続コネクタ５に接続されたＵＳＢメモリ１に記録自在であることを特徴とする。
【０００９】
請求項２記載の考案のＵＳＢメモリにデータ記録可能なデジタル指示計は、前記デジタル指示計２の外周２０の一部が、凹状のＵＳＢメモリ挿込み部２１に形成され、前記ＵＳＢメモリ挿込み部２１の基端にＵＳＢ接続コネクタ５’が備えられ、前記ＵＳＢメモリ挿込み部２１内のＵＳＢ接続コネクタ５’に、ＵＳＢメモリ１の端子部１ａが接続自在に構成されていることを特徴とする。
【００１０】
請求項３記載の考案のＵＳＢメモリにデータ記録可能なデジタル指示計は、前記ＵＳＢ接続コネクタ５の外周が、パッキン６付きのＵＳＢ接続外周部９に形成され、ＵＳＢメモリ１を保護するケース体１０が、前記ＵＳＢ接続外周部９に嵌着自在に構成されていることを特徴とする。
【００１１】
請求項４記載の考案のＵＳＢメモリにデータ記録可能なデジタル指示計は、前記デジタル指示計２のＵＳＢ接続コネクタ５を介して、被計量物の重量１６等のデータ１７が記録されたＵＳＢメモリ１が、デジタル指示計２のＵＳＢ接続コネクタ５から抜き取られ、コンピュータ３０のＵＳＢ接続コネクタ３１に挿し込み、前記ＵＳＢメモリ１に記録された被計量物の重量１６等のデータ１７が当該コンピュータ３０上に起動した所望のシステムにおいて処理自在に構成されていることを特徴とする。
【考案の効果】
【００１２】
請求項１記載の本考案のＵＳＢメモリにデータ記録可能なデジタル指示計は、デジタル指示計のメインボードに接続されたＵＳＢ接続コネクタが、当該デジタル指示計の外周に備えられ、前記ＵＳＢ接続コネクタにＵＳＢメモリの端子部が接続自在であるので、当該デジタル指示計のＵＳＢ接続コネクタにＵＳＢメモリを挿し込んで接続し、デジタル指示計の操作で、前記計量台で計量された被計量物の重量等のデータを、ＵＳＢメモリに記録できる使い勝手に優れると共に、ＵＳＢメモリに記録された重量データ等は、ＵＳＢメモリを移動して、別の場所のコンピュータ上で、正確かつ迅速にデータ処理できる利便性に優れている。
【００１３】
また、デジタル指示計をコンピュータに接続する必要がないため、当該デジタル指示計の設置場所の自由度がある。
【００１４】
請求項２記載の本考案は、デジタル指示計の外周の一部が、凹状のＵＳＢメモリ挿込み部に形成され、その挿込み部の基端にＵＳＢ接続コネクタが備えられているので、前記ＵＳＢメモリ挿込み部内のＵＳＢ接続コネクタに、ＵＳＢメモリの端子部を確実に接続しつつ、ＵＳＢメモリが当該デジタル指示計の内部に可及的に収納でき、使用上の安全性が確保されている。
【００１５】
請求項３記載の本考案は、ＵＳＢ接続コネクタの外周は、パッキン付きのＵＳＢ接続外周部に形成され、ＵＳＢメモリを保護するケース体が、前記ＵＳＢ接続外周部に嵌着自在に構成されているので、デジタル指示計のＵＳＢ接続コネクタに接続されたＵＳＢメモリの防塵・防水効果を奏すると共に、ＵＳＢメモリ本体の不意の損傷も防ぐことができる。また、ＵＳＢメモリを接続しない場合でも、当該ケース体がＵＳＢ接続コネクタを覆うので、ＵＳＢ接続コネクタに対する防塵・防水効果にも寄与する。
【００１６】
請求項４記載の本考案は、デジタル指示計のＵＳＢ接続コネクタを介して、被計量物の重量等のデータが記録されたＵＳＢメモリは、そのデジタル指示計のＵＳＢ接続コネクタから簡単に抜き取ることができ、近傍又は遠隔に設置された種々のコンピュータのＵＳＢ接続コネクタに挿し込み、そのコンピュータに起動した表計算ソフト（Microsoft社のExcel）等のシステム上で、前記ＵＳＢメモリに記録された被計量物の重量等のデータを開いて自由にデータ処理することができる操作性に優れて便利である。
【考案を実施するための最良の形態】
【００１７】
請求項１〜４に係るＵＳＢメモリにデータ記録可能なデジタル指示計の好適な実施形態を、図面にしたがって述べる。
【００１８】
本実施形態のＵＳＢメモリにデータ記録可能なデジタル指示計２（図１参照）は、図３に示したような計量台１８と接続ケーブル１９で接続され、前記計量台１８に載置された図示省略の被計量物（重量物）の重量１６が、当該デジタル指示計２にデジタル表示されるものである。
【００１９】
このデジタル指示計２の内部構造を、図３により説明する。ＣＰＵやメモリを有するメインボード３は、前記計量台１８の接続ケーブル１９と指示計内部の接続ケーブル１２を介して接続されていると共に、前記被計量物の重量１６がデジタル表示される表示ボード７と接続ケーブル１４を介してデータ転送自在に接続されている。前記表示ボード７は操作用のキースイッチ８と接続ケーブル１５を介して接続されている。
【００２０】
次に、デジタル指示計２に備わるＵＳＢボード４は、前記メインボード３に対し接続ケーブル１３を介してデータ転送自在に接続されている。このＵＳＢボード４はＣＰＵを有すると共に、ＵＳＢ接続コネクタ５’が設けられている。すなわち、デジタル指示計２の内部にＵＳＢ接続コネクタ５’が設けられているもので（後に更に説明）、この内部のＵＳＢ接続コネクタ５’に対し、接続ケーブルたるＵＳＢケーブル１１の一端１１ａが接続され、当該ＵＳＢケーブル１１の他端１１ｂが、デジタル指示計２の外周２０で、外部のＵＳＢ接続コネクタ５として備え付けられている。
【００２１】
よって、前記外部のＵＳＢ接続コネクタ５に対し、ＵＳＢメモリ１の端子部１ａが接続自在に構成されており、前記計量台１８で計量された被計量物の重量１６等のデータ１７を、前記ＵＳＢ接続コネクタ５に接続されたＵＳＢメモリ１に記録することができるものである。
【００２２】
ここで、ＵＳＢメモリ１は、先端に突出したＵＳＢ基端部１ａと、スティック状の筐体の内部に、図示を省略したファイルシステム、フラッシュメモリとＵＳＢマスストレージクラスに準拠したＵＳＢコントローラが具備されている。その大きさは、本実施形態の場合、縦（最大長さ）が６０ｍｍ、横（最大幅）が２０ｍｍの形態が好ましい。また、当該ＵＳＢメモリ１のメモリ容量は１ＧＢが好適である。
【００２３】
上記構成のデジタル指示計２の使用要領として、ＵＳＢメモリ１へのデータ記録とデータ閲覧までの手順について説明する。
【００２４】
事前に、当該デジタル指示計２のＵＳＢ接続コネクタ５に、ＵＳＢメモリ１の端子部１ａを挿し込んで接続する。
【００２５】
メインボード３は、計量台１８の検出部（ロードセル）から被計量物の加重に対する電圧を受ける。そして、重量１６のアナログ電圧データは、デジタルの数値データ（重量値）に変換され、表示ボード７で重量１６がデジタル表示される。
【００２６】
次に、キースイッチ８の「印字」ボタンを押すと、そのキースイッチ８の状態は、前記表示ボード７をスルーしてメインボード３に直接取り込まれ、当該「印字」ボタンが押された時の重量１６の値やその他必要なデータ１７がＵＳＢボード４に送信される。
【００２７】
そして、当該ＵＳＢボード４によってＵＳＢメモリ１のファイルシステムにアクセスされ、重量１６その他の必要データ１７がＵＳＢメモリ１に記録される。ＵＳＢメモリ１に記録されるデータ形式としては、ＣＳＶデータ形式が好適である（但し、そのデータ形式に限らない）。
【００２８】
重量１６その他のデータ１７が記録されたら、ＵＳＢメモリ１をＵＳＢ接続コネクタ５から抜き取って移動し、図７に示したような近傍又は遠隔に設置されたパソコン等のコンピュータ３０のＵＳＢ接続コネクタ３１に、当該ＵＳＢメモリ１の基端部１ａを挿し込んで接続する。
【００２９】
すると、同図７上部に示したように、例えば当該コンピュータ３０に起動しディスプレイ３２に表示された表計算ソフト（Excel等）で、前記ＵＳＢメモリ１に記録された被計量物の重量１６その他のデータ１７が開かれて閲覧できるほか、自由にデータ処理を行うことができる。
【００３０】
なお、ＵＳＢメモリ１に記録され処理されるデータの内容としては、被計量物の重量１６として総重量、風袋重量、正味重量などの他、計量された日時や時間、コード、回数、水分引率（％）その他のデータ１７が表示可能である。
【００３１】
上述したデジタル指示計２のＵＳＢメモリ１の接続形態として、ＵＳＢメモリ１を縦方向に接続するタイプ（図１〜図４）と、ＵＳＢメモリ１を横方向に接続するタイプ（図５、図６）の２タイプがある。
【００３２】
図１〜図４に示した縦接続タイプでは、デジタル指示計２の上面部の右端に、ＵＳＢ接続コネクタ５が備わる配置で、指示計内の上記ＵＳＢケーブル１１の他端１１ｂが配置されている（図３参照）。
【００３３】
このＵＳＢ接続コネクタ５の外周をなすＵＳＢ接続外周部９には、パッキン６が取り付けられている。よって、図４（平面図）に示したように露出したＵＳＢ接続コネクタ５に対し、上方からＵＳＢメモリ１の端子部１ａを接続した後（図２）、前記ＵＳＢ接続外周部９（パッキン６）に嵌り合う大きさの円筒状の保護ケース体１０を嵌着することで、ＵＳＢメモリ１の防塵・防水効果が得られる（図１）。
【００３４】
図５と図６に示した横接続タイプでは、デジタル指示計２の右側部の上端に、ＵＳＢ接続コネクタ５が備わる配置で、指示計内の前記ＵＳＢケーブル１１の他端１１ｂが配置されている。
【００３５】
とりわけ図６に示した横接続タイプでは、デジタル指示計２の内部にＵＳＢ接続コネクタ５’が備わっており、デジタル指示計２から突出するＵＳＢメモリ１やケース体１０の長さが可及的に短く形成されている。
【００３６】
すなわち、図６Ｃの拡大図においてＵＳＢ接続コネクタ５’付近を一部切欠して示したように、デジタル指示計２の右側部の上端（一部）が、凹状のＵＳＢメモリ挿込み部２１に形成されている。このＵＳＢメモリ挿込み部２１の基端に内部のＵＳＢ接続コネクタ５’が備え付けられている。
【００３７】
当該内部のＵＳＢ接続コネクタ５’の形成に際しては、上記ＵＳＢボード４（図３）のＵＳＢ接続コネクタ５’を直接配置する実施形態が好適である。しかし、ＵＳＢケーブル１１を利用しその他端１１ｂのＵＳＢ接続コネクタ５を配置させる形態でも実施可能である。いずれにしても、指示計２の内部に備わるＵＳＢ接続コネクタ５’（５）に対し、ＵＳＢメモリ１の端子部１ａを接続して（図６Ｂ）、ＵＳＢメモリ１やケース体１０の突出を必要最小限に抑えることができる（図６Ａ）。
【図面の簡単な説明】
【００３８】
【図１】Ａ、Ｂ、Ｃは、縦接続タイプのＵＳＢメモリにデータ記録可能なデジタル指示計におけるケース体の取り付け要領を示した正面図、側面図、一部拡大説明図である。
【００３９】
【図２】Ａ、Ｂ、Ｃ、Ｄは、縦接続タイプのＵＳＢメモリにデータ記録可能なデジタル指示計におけるＵＳＢメモリの接続状態を示した平面図、正面図、側面図、裏面図である。
【００４０】
【図３】ＵＳＢメモリにデータ記録可能なデジタル指示計の内部構造を示した説明図である。
【００４１】
【図４】縦接続タイプのＵＳＢメモリにデータ記録可能なデジタル指示計を示した平面図である。
【００４２】
【図５】Ａ、Ｂ、Ｃは、横接続タイプのＵＳＢメモリにデータ記録可能なデジタル指示計におけるケース体の取り付け状態を示した平面図、正面図、側面図である。
【００４３】
【図６】Ａ、Ｂ、Ｃは、異なる横接続タイプのＵＳＢメモリにデータ記録可能なデジタル指示計を示した正面図、平面図、一部切欠拡大説明図である。
【００４４】
【図７】コンピュータでのＵＳＢメモリによる重量その他のデータの閲覧要領を示した説明図である。
【符号の説明】
【００４５】
１        ＵＳＢメモリ
１ａ      端子部
２        デジタル指示計
２０      外周
２１      ＵＳＢ挿込み部
３        メインボード
５、５’  ＵＳＢ接続コネクタ
６        パッキン
９        ＵＳＢ接続外周部
１０      ケース体
１６      重量
１７      データ
１８      計量台
３０      コンピュータ
３１      ＵＳＢ接続コネクタ
【図１】
0003144574.tif 000003
【図２】
0003144574.tif 000004
【図３】
0003144574.tif 000005
【図４】
0003144574.tif 000006
【図５】
0003144574.tif 000007
【図６】
0003144574.tif 000008
【図７】
0003144574.tif 000009